(57)【要約】  寝室での使用に適したディスプレイプロダクト（１０）が記載されている。このディスプレイプロダクト（１０）は「常夜灯」機能を備えている。ディスプレイプロダクト（１０）は、ディスプレイ（２０）を有している。さらに、ディスプレイプロダクト（１０）は、一つ以上の画像信号を受け取りディスプレイ（２０）に画像を表示するための処理回路（４０、５０、７０、８０）を有している。さらに、ディスプレイプロダクト（１０）は、プログラム番組がディスプレイ（２０）に表示される第１のディスプレイプロダクト動作モード（ＭＤ１）と、ディスプレイプロダクト（１０）が電力を減少させてディスプレイ（２０）から常夜灯照明を行うように動作可能な第２の常夜灯動作モード（ＭＤ２）と、の間で、ディスプレイプロダクト（１０）の動作を選択的に切り替える制御回路（１００、１１０、１２０）を有している。第２のモード（ＭＤ２）で動作する場合のディスプレイ（２０）の色および／又は輝度は、ユーザが選択可能であることが好ましい。ディスプレイ（２０）は、背面から照明される液晶ディスプレイ（ＬＣＤ）を有していることが好ましい。
2007534022.tif 000002
【特許請求の範囲】
【請求項１】
（ａ）  ディスプレイ、
（ｂ）  一つ以上の画像信号を受け取り、前記ディスプレイに画像を表示する処理手段、および
（ｃ）  少なくとも、画像が前記ディスプレイに表示される第１のディスプレイプロダクト動作モードと、前記ディスプレイプロダクトが電力を減少させて前記ディスプレイから常夜灯照明を行うように動作可能な第２の常夜灯動作モードと、の間で、前記ディスプレイプロダクトの動作を選択的に切り替える制御手段、
を有するディスプレイプロダクト。
【請求項２】
前記制御手段は、前記ディスプレイプロダクトが前記第２の常夜灯動作モードに切り替えられる場合に前記処理手段の少なくとも一部への電力供給を停止するためのスイッチング手段を有する、請求項１に記載のディスプレイプロダクト。
【請求項３】
前記スイッチング手段は、前記処理手段が断続的に一つ以上の機能を実行できるように、前記処理手段への電力供給を断続的に停止するように構成される、請求項２に記載のディスプレイプロダクト。
【請求項４】
前記スイッチング手段は、前記ディスプレイプロダクトの消費電力を低減するために、前記第２の常夜灯動作モードの場合に前記処理手段と前記制御手段とのうちの少なくとも一方の手段に印加されるクロックレートを低減するように動作可能である、請求項２に記載のディスプレイプロダクト。
【請求項５】
前記制御手段は、環境特性を測定し一つ以上の前記環境特性が一つ以上の所定のレベルを越えた場合に前記ディスプレイプロダクトを前記第２の常夜灯動作モードに選択的に切り替えるために、前記ディスプレイプロダクトの周囲の環境状況を検出する一つ以上のセンサを備えている、請求項１に記載のディスプレイプロダクト。
【請求項６】
前記ディスプレイプロダクトは、前記第１のディスプレイプロダクト動作モードに比べて前記第２の常夜灯動作モードでは、消費電力が実質的に少ないように動作可能である、請求項１に記載のディスプレイプロダクト。
【請求項７】
前記ディスプレイは、バックライト放射を発生するバックライトユニットと、前記バックライト放射を選択的に透過して、一つ以上の画像を前記ディスプレイプロダクトのユーザに表示する選択的光透過表示ユニットと、を有する、請求項１に記載のディスプレイプロダクト。
【請求項８】
前記ディスプレイプロダクトは、前記第２の常夜灯動作モードの場合には、火災報知器の機能および侵入者警報器の機能のうちの一つ以上の機能を備えるように動作可能である、請求項１に記載のディスプレイプロダクト。
【請求項９】
前記ディスプレイプロダクトが前記第２の常夜灯動作モードで動作する場合に前記ディスプレイから発せられる放射の色および／又は輝度は、ユーザが調整可能であるように、前記制御手段が構成される、請求項１に記載のディスプレイプロダクト。
【請求項１０】
ディスプレイプロダクトに常夜灯機能を備える方法であって、前記方法は、
（ａ）  前記ディスプレイプロダクトが、ディスプレイと、一つ以上の画像信号を受け取り前記ディスプレイに画像を表示する処理手段と、前記ディスプレイと前記処理手段とに結合された制御手段と、を有するように、前記ディスプレイプロダクトを構成するステップ、および
（ｂ）  少なくとも、画像が前記ディスプレイに表示される第１のディスプレイプロダクト動作モードと、前記ディスプレイプロダクトが電力を減少させて前記ディスプレイから常夜灯照明を行うように動作可能な第２の常夜灯動作モードと、の間で、前記ディスプレイプロダクトの動作を選択的に切り替えるステップ、
を有する方法。
【請求項１１】
請求項１に記載のディスプレイプロダクトの制御手段で実行されるソフトウェアであって、前記ソフトウェアは、少なくとも、画像が前記ディスプレイプロダクトのディスプレイに表示される第１のディスプレイプロダクト動作モードと、前記ディスプレイプロダクトが電力を減少させて前記ディスプレイから常夜灯照明を行うように動作可能な第２の常夜灯動作モードと、の間で、前記ディスプレイプロダクトを選択的に切り替えることができるように実行可能である、ソフトウェア。
【発明の詳細な説明】
【技術分野】
【０００１】
本発明は、ディスプレイプロダクト、特に、専らではないが、プログラムコンテンツの一部である画像又はデータを有する画像を、関連する視聴者に表示するよう動作するディスプレイプロダクトに関する。
【背景技術】
【０００２】
ディスプレイプロダクトは周知であり、家庭の共同部屋（例えば、居間や、これと同様の場所）に、テレビとして使用するために当初から備え付けられている。小型化および製造コスト削減のために、ディスプレイプロダクトは、ユーザが例えば夜にベッドで休みながらディスプレイプロダクトのプログラム素材を見ることができるようにするため、ユーザが寝室にテレビ設備を再現できるように、比較的安価になっている。寝室で使用されるテレビは、一般的には、マルチチャンネル・サラウンド・サウンドの大画面テレビ装置（例えば、ＨＤＴＶ）を備えることが当たり前になっている共同部屋で使用されるテレビよりも小さい。さらに、ディスプレイプロダクトは、コンピュータからのデータを有する画像を見るためのモニタなどの他の目的で使用されている。モニタ付きコンピュータが寝室に備えられる場合もある。
【０００３】
寝室の標準設備には、眠り込む前にユーザが本や本と同じような印刷物を読むことができるようにするためベッドサイドランプも備えられている。斯かるランプは、通常は、ユーザがベッドを離れなくてもランプをオフにすることができるように備えられている。
【０００４】
最近では、心地よい色効果を提供することができる多数の照明装置がある。斯かる照明装置は、例えば、ＷＯ０１／８２６５７号に記載されている。ＷＯ０１／８２６５７号は、様々な心地よい表示効果および照明効果を発生させるプロセッサ制御部に組み合わされた高輝度発光ダイオード（ＬＥＤ）に関係している。説明されている一つの照明装置は、異なる２つのスペクトルを生成する複数のＬＥＤと、情報を提示する表示画面と、を有している。
【発明の開示】
【発明が解決しようとする課題】
【０００５】
発明者は、家庭の寝室は、ユーザの装置（例えば、パソコン、テレビ、およびオーディオハイファイ・システム）でますます溢れてきていることが分かった。更に、発明者は、特に都市での最近の収容設備は人口密度の圧迫によって多くの場合狭くなっていること分かった。
【０００６】
ディスプレイプロダクトがますます使用されてきている寝室などの場所での利用可能な空間が限られているという問題に取り組むために、発明者は本発明を考え出した。
【０００７】
本発明の目的は、空間を節約できるディスプレイプロダクトを提供することにある。
【課題を解決するための手段】
【０００８】
本発明は独立請求項に規定されている。従属請求項は有利な実施例を規定する。
【０００９】
本発明の第１の態様によれば、ディスプレイプロダクトが提供される。このディスプレイプロダクトは、
（ａ）  ディスプレイ、
（ｂ）  一つ以上の画像信号を受け取り、上記ディスプレイに画像を表示するための処理手段、および
（ｃ）  少なくとも、画像が上記ディスプレイに表示される第１のディスプレイプロダクト動作モードと、上記ディスプレイプロダクトが電力を減少させて上記ディスプレイから常夜灯照明を行うように動作可能な第２の常夜灯動作モードと、の間で、上記ディスプレイプロダクトの動作を選択的に切り替える制御手段、
を有している。
【００１０】
本発明は、ディスプレイプロダクトが、番組内容を表示する主機能を補足する追加の機能を提供することができる点で有利である。したがって、ディスプレイプロダクト自体が常夜灯の機能を実現するので、常夜灯のための特別なスペースを必要としない。
【００１１】
発明者は、寝室などの場所で使用するのに適しているディスプレイプロダクトは機能を拡張することができることが分かった。更に、発明者は、テレビ又はモニタなどのディスプレイプロダクトは主に熱電子真空部品（即ち、テレビの真空管）を基礎にしており、真空管の電子銃および蛍光面の動作寿命は限られているという一般的な先入観に対して、本発明を考え出した。この先入観は、近年、家庭用に手頃な価格で市販されている液晶ディスプレイ（ＬＣＤ）テレビおよびモニタのバックライトユニットにも関係している。したがって、従来では、一人以上のユーザが例えば番組を見る場合にだけ、装置を作動させている。
【００１２】
本発明のディスプレイプロダクトでは、上記制御手段は、上記ディスプレイプロダクトが上記第２の常夜灯動作モードに切り替えられる場合に上記処理手段の少なくとも一部への電力供給を停止するためのスイッチング手段を有することが好ましい。第２のモードにおける処理手段の消費電力を低減することは、ディスプレイプロダクトの動作寿命を長くすることができる点で有利である。
【００１３】
本発明のディスプレイプロダクトでは、上記スイッチング手段は、上記処理手段が断続的に一つ以上の機能を実行できるように、上記処理手段への電力供給を断続的に停止するように構成されることが更に好ましい。このように電力を断続的に供給することによって、
処理手段は、ある特定の機能（第２のモードで動作している場合に、例えば枕もとの目覚し時計のように、例えば、無線でタイムクロック情報を受け取る機能、およびディスプレイに時刻情報を定期的に表示する機能）を、見かけ上は連続的に受け持つことが可能となる。
【００１４】
本発明のディスプレイプロダクトでは、上記スイッチング手段は、上記ディスプレイプロダクトの消費電力を低減するために、第２の常夜灯動作モードの場合に上記処理手段と上記制御手段とのうちの少なくとも一方の手段に印加されるクロックレートを低減するように動作可能であることが好ましい。
【００１５】
本発明のディスプレイプロダクトでは、上記制御手段は、環境特性を測定し一つ以上の上記環境特性が一つ以上の所定のレベルを越えた場合に上記ディスプレイプロダクトを上記第２の常夜灯動作モードに選択的に切り替えるために、上記ディスプレイプロダクトの周囲の環境状況を検出する一つ以上のセンサを備えていることが好ましい。一つ以上のセンサを制御手段に接続すると、比較的僅かなコストの追加で、ディスプレイプロダクトが更に他の機能を備えることができる。
【００１６】
上記ディスプレイプロダクトは、上記第１のディスプレイプロダクト動作モードに比べて上記第２の常夜灯動作モードでは、消費電力が実質的に少ないように動作可能であることが好ましい。電力を低減させて機能する場合に、消費電力が少ないと、テレビの動作寿命を長くすることができる。
【００１７】
一実施例では、上記ディスプレイは、バックライト放射を発生するバックライトユニットと、上記バックライト放射を選択的に透過して、一つ以上の画像を上記ディスプレイプロダクトのユーザに表示する選択的光透過表示ユニットと、を有している。バックライトユニットを光放射の光源として使用すると、バックライトユニットおよび選択的光透過表示ユニットが安価且つ小型になり、電力から光放射への変換を高い量子効率で行うことが可能である点で、有利である。バックライトユニットは、バックライト放射を行う技術、即ち、ガス放電、一つ以上の蛍光体と組み合わせたガス放電、発光ダイオード（ＬＥＤ）、ポリマー接合形光エミッタ（polymer junction light emitter）、およびフィールドエミッタ（field emitter）のうちの一つ以上の技術を使用して動作可能であることがさらに好ましい。
【００１８】
上記ディスプレイプロダクトは、上記第２の常夜灯動作モードの場合には、火災報知器の機能および侵入者警報器の機能のうちの一つ以上の機能を備えるように動作可能であることが好ましい。これらの追加の機能は、第２の常夜灯動作モードに加えて、ディスプレイプロダクトに更に備えることができる。
【００１９】
上記ディスプレイプロダクトにおいて、制御手段の構成は、上記ディスプレイプロダクトが上記第２の常夜灯動作モードで動作する場合に上記ディスプレイから発せられる放射の色および／又は輝度が、例えば部屋の内装又は望みの輝度レベルに合うようにユーザが調整可能であることが好ましい。
【００２０】
本発明の第２の態様によれば、ディスプレイプロダクトに常夜灯機能を備える方法が提供される。上記方法は、
（ａ）  上記ディスプレイプロダクトが、ディスプレイと、一つ以上の画像信号を受け取り上記ディスプレイに画像を表示する処理手段と、上記ディスプレイと上記処理手段とに結合された制御手段と、を有するように、上記ディスプレイプロダクトを構成するステップ、および
（ｂ）  少なくとも、画像が上記ディスプレイに表示される第１のディスプレイプロダクト動作モードと、上記ディスプレイプロダクトが電力を減少させて上記ディスプレイから常夜灯照明を行うように動作可能な第２の常夜灯動作モードと、の間で、上記ディスプレイプロダクトの動作を選択的に切り替えるステップ、
を有している。
【００２１】
本発明の第３の態様によれば、本発明の第１の態様によるディスプレイプロダクトの制御手段で実行されるソフトウェアが提供される。上記ソフトウェアは、少なくとも、画像が上記ディスプレイプロダクトのディスプレイに表示される第１のディスプレイプロダクト動作モードと、上記ディスプレイプロダクトが電力を減少させて上記ディスプレイから常夜灯照明を行うように動作可能な第２の常夜灯動作モードと、の間で、上記ディスプレイプロダクトを選択的に切り替えることができるように実行可能である。
【００２２】
本発明の特徴は、本発明から逸脱しない範囲で、任意の組み合わせによって、組み合わせることが可能である。
【００２３】
本発明の実施例は、図面を基準にして単なる例として記載されている。
【発明を実施するための最良の形態】
【００２４】
図１を参照すると、符号１０によって表されているテレビが示されている。テレビ１０は、本発明によるディスプレイプロダクトの一実施例である。ディスプレイプロダクトの他の例は、モニタ、フロントプロジェクタおよびリアプロジェクタである。テレビ１０は、一人以上の視聴者２５に画像を表示するために、バックライトユニット３０が備えられた液晶ディスプレイ（ＬＣＤ）２０を有している。テレビ１０は、ＵＨＦテレビ無線６０を受け取り、対応するヘテロダイン中間周波数信号を生成するために、アンテナ５０に結合された無線周波数フロントエンド回路４０を更に有している。必要に応じて、フロントエンド回路４０を、光ファイバーケーブルのテレビ番組コンテンツを受け取るために結合することもできる。これに加えて、又はこの代わりに、テレビは、ＤＶＤプレーヤなどの別の製品から入力信号を受け取る外部入力部（図示せず）を有していてもよい。フロントエンド回路４０は、復調回路７０に結合されている。復調回路７０は、ハイエンド回路４０から中間周波数信号を受け取り、対応する音声信号および映像信号を発生して、ディスプレイバッファ８０に供給し、１つ以上のスピーカを有するオーディオ回路９０に供給する。バッファ８０は、画像を一人以上の視聴者２５に表示するように、ディスプレイ２０を駆動する（例えば、ディスプレイ２０のＬＣＤ画素に関連する薄膜トランジスタ（ＴＦＴ）に画素信号を供給する）。さらに、ディスプレイ２０のＬＣＤ画素は、バックライトユニット３０によって発生する白色照明の成分を選択的に透過して、上記の画像を一人以上の視聴者２５に表示するように動作可能である。
【００２５】
テレビ１０は、その電源ユニット９５において、電源接続部２００を介して、電源（例えば、主電源）に接続される。電源ユニット９５は、主電源を、複数の整流低電圧源に変換するように動作可能である。複数の整流低電圧源は、制御ユニット１００を介して、テレビ１０内の電源接続部２５０により、フロントエンド回路４０、復調回路７０、バッファ８０、バックライトユニット３０に結合される。制御ユニット１００は、一人以上の視聴者２５から入力選択情報を受け取るために、データバス２３０を介してユーザインターフェース１１０に接続されている。さらに、制御ユニット１００は、テレビチャネル選択を制御するために、制御バス２４０を介して復調回路７０にも接続されている。テレビ１０は、ワイヤレスリンク又は光リンク２２０によってユーザインターフェース１１０にコードレスで結合されたリモートコントロールユニット１２０も有している。したがって、一人以上の視聴者２５が、制御ユニット１００に指示するために、リモートコントロールユニット１２０でデータを入力し、テレビ１０を種々の動作モードに設定できる。これら動作モードについては、後でもっと詳細に説明されている。
【００２６】
テレビ１０の動作を更に詳細に記載する。
【００２７】
テレビ１０は２つのモードで動作する。即ち、
（ａ）  テレビが、例えば、ＵＨＦ周波数又はマイクロ波周波数の無線６０、および／又はプログラムコンテンツを運ぶ光−光ケーブルテレビ放送（optical-optical cable television transmission）、を受信する第１のテレビモードＭＤ１。テレビ１０は斯かるコンテンツの画像を一人以上の視聴者２５に表示する。
（ｂ）  電力レベルを減少させてディスプレイ２０を動作させることによってテレビ１０が常夜灯機能を提供する第２の常夜灯モードＭＤ２。
【００２８】
テレビがコンピュータ又はデータネットワークに結合されている場合、テレビはコンピュータ又はデータネットワークから受け取るデータに基づいて画像を表示してもよい。ディスプレイプロダクトがモニタである場合も同じことが当てはまる。
【００２９】
発明者は、テレビ１０の構成要素（例えば、ディスプレイ２０およびディスプレイ２０に対応するバックライトユニット３０、並びにテレビ１０の他の電子部品）が、図２に概略的に示されているような動作寿命特性を有していることが分かった。テレビは、通常は、オフにされているか、又はテレビの製造業者によって設計された特定の電力レベルで動作しているので、一般的には、上記の動作寿命特性は考察されていない。図２には、符号３００によってグラフが概略的に示されており、このグラフは、平均動作電力を示す横軸３１０と、テレビ１０の動作寿命を示す縦軸３２０と、を有している。グラフ３００には曲線３３０が描かれており、この曲線３３０は、動作寿命と平均動作電力レベルとの間の妥協線を表している。以下の（ａ）〜（ｃ）が曲線３３０に関係している。
（ａ）  動作電力の上限３４０。
（ｂ）  第１のテレビ動作モードＭＤ１の間のテレビ１０の消費電力に対応する高電力レベル３５０。
（ｃ）  上記の常夜灯動作モードＭＤ２に対応する低電力レベル３６０。
【００３０】
曲線３７０、３８０は、バッチ単位で大量生産した場合のテレビ１０の寿命特性の上限および下限に関する曲線であり、斯かる上限および下限は、使用されている部品のバッチ間変動が原因である。曲線３３０は、テレビ１０の寿命特性に限定されるものではなく、他の型式の装置の、例えばジェットエンジン又は原子炉の炉心の動作温度に対する寿命を記述するのにも適用できる。或る状況では、曲線３３０は、それぞれの構成部品が寿命を短くするそれぞれの作用（これらの作用は関連するactivationエネルギーを有しており、例えば、Ahrenius activation エネルギーに類似したものである）を示すはっきりとした段階がある。
【００３１】
したがって、発明者は、電力を減少させてディスプレイ２０およびバックライトユニット３０を動作させると、ディスプレイ２０およびバックライトユニット３０の動作寿命がかなり延び、より長時間に渡って弱い光を放出するのに適していると考えた。例えば、５年間に渡って毎晩８時間常夜灯に使用されるテレビ１０は、低電力モードＭＤ２、つまり低電力レベル３６０で動作しており、斯かる期間は、１５０００時間の動作寿命に対応する。比較として、加熱型フィラメント白熱電球は、典型的には、１０００時間〜２０００時間の動作寿命である。低電力のバックライトユニット３０で斯かる長い動作寿命を実現するために、バックライトユニット３０は、発光ダイオード（ＬＥＤ）デバイス、長寿命蛍光体を利用したプラスマ放電デバイス、又はポリマー発光デバイス、を使用して製造されることが好ましい。しかし、他の光生成技術（例えば、高電界を受けると、電界中で加速する電子を発生し蛍光体材料に衝突させて蛍光体材料を励起し、これにより光放射を生成してディスプレイ２０を照明するために、電子エミッタとして機能する冷陰極電界型エミッタ又は電子トンネルエミッタのアレイ）も有利に使用することができる。したがって、バックライトユニット３０は、比較的低電力で動作する場合に動作寿命をかなり長くすることが可能な照明技術を有利に利用している。
【００３２】
テレビ１０が第２の常夜灯モードの動作で機能する場合、使用する必要のないテレビ１０のサブセクションは、電源の供給が停止される、又は電源の供給が少なくとも周期的に停止されることが好ましい。例えば、テレビ１０が第２の常夜灯モードＭＤ２で動作する場合、フロントエンド回路４０、復調器７０、および音声回路９０のうちの少なくとも１つは、常夜灯モードで動作している期間の少なくとも一部の間は、オフになる。さらに、制御ユニット１００は、バッファ８０およびバックライトユニット３０のうちの少なくとも一方に、電力を減少させて動作するように指示する。例えば、第２のモードで動作する場合はデータコンテンツをたまにしか変化させる必要がないので、データを更新する場合に、バッファ８０のクロック周波数を低減することによって、消費電力が低減する。電源ユニット９５で生じる消費電力を低減することによって、電源ユニット９５の動作寿命も長くなる可能性がある。電源ユニット９５は、通常は、電力スイッチング半導体デバイスと電解コンデンサとを有するスイッチング電源で実現される。この電力スイッチング半導体デバイスおよび電解コンデンサは、この半導体デバイスおよびコンデンサで生じる経年変化により、動作寿命が限られている。例えば、エレクトロマイグレーションおよび腐食又は酸化が、スイッチング電流を電源ユニット９５に運ぶのに使用される半導体デバイスの基板の導体で生じ、動作寿命に限りがある。さらに、電解コンデンサに使用されるゲルの乾燥特性は、この電解コンデンサで生じるリプル電流の発熱によって高温で乾燥が加速するので、この乾燥特性も、寿命を短くする要因である。
【００３３】
例えば、テレビ１０が第２のモードＭＤ２で動作しているときにテレビ１０に備えられるタイムクロック機能を更新するためにテレビ１０が無線によって運ばれる時報を受け取る場合、フロントエンド回路４０および復調器回路７０は、第２の常夜灯モードＭＤ２において、必要に応じて断続的に動作するように構成される。斯かるクロック機能によって、テレビ１０は、目覚まし音を発するオーディオ回路９０を用いて、目覚まし時計としても機能することが可能になる。さらに、オーディオ回路９０は、第２の動作モードＭＤ２では電気の供給が停止され、テレビ１０が音を出す必要があるとき（例えば、オーディオ回路９０が目覚まし音を発生するときだけ電気が供給される必要がある目覚まし時計機能を備えている場合）だけ動作することも有利である。
【００３４】
必要に応じて、例えば、夜にテレビ１０で番組を見る子供達を安心させるため、テレビ１０を、第２の動作モードでは限られた時間の間だけ常夜灯の機能を果たし、子供達が眠った後にテレビ１０に電気を供給するのを停止してテレビ１０の動作寿命を長くするように構成することができる。
【００３５】
第２の常夜灯モードＭＤ２では、一人以上の視聴者２５は、例えば部屋（例えば、ベッドルーム）の内装に合うように、ディスプレイ２０の色を選択することができる。好ましくは、色の選択は、リモコン１２０を介して入力される。さらに、第２の常夜灯動作モードにおけるディスプレイ２０の輝度も、例えばリモコン１２０を介して調整可能である。
【００３６】
必要であれば、テレビ１０は、他のセンサ（例えば、煙感知器）を備えて、検出された火の煙が発生した場合は、ディスプレイ２０の警告音およびオーディオ回路９０のサイレン音を発生することができる。斯かる煙感知器は制御ユニット１００に結合され、制御ユニット１００は、煙が検出された場合に視覚的／聴覚的な警告を発生するように動作可能であることが好ましい。斯かる煙感知器は、一人以上の視聴者２５がベッドで喫煙する喫煙者である場合、又は視聴者２５が、電気的故障の状況下で寝具などの可燃性素材を燃焼させることが可能な電気毛布をベッドで使用する場合に、役立つ。センサの別の例は周囲温度センサである。この周囲温度センサは、上記の煙感知器と同様に制御ユニット１００に結合され、制御ユニット１００は、更に、温度が所定のレベルを越えた場合に、温度を表示する及び／又は警告信号を発生するように動作可能である。
【００３７】
リモコン１２０に備えられている「ビデオミュート」ボタン又はスイッチを使用することによって、テレビ１０を第１のテレビ動作モードから第２の常夜灯動作モードに切り替えることができるのが好ましい。さらに、テレビ１０は、例えば寝室内において、壁に取り付けることが可能で小さな卓上面に置くことが可能な軽量でほぼ平らな装置として実現されるのが便利である。必要に応じて、テレビ１０は、ベッド家具の一部として、ベッド家具に含められる（例えば、ベッドの端部のフットパネルに組み込まれる）。
【００３８】
第２の常夜灯動作モードでは、テレビ１０は以下の（ａ）および（ｂ）のために十分なだけの照明をする。
（ａ）  一人以上の視聴者２５が夜間に部屋（例えば、寝室）の中を移動する場合に、一人以上の視聴者２５が椅子などの家の中の障害物につまずくことを防止する、又は
（ｂ）  メインの室内灯をつけなくても時刻をチェックし、居合わしている他の人に迷惑をかけることを潜在的に回避する。
【００３９】
必要であれば、テレビ１０は、常夜灯機能に図３に示すやり方で電気の供給が停止される第３の動作モードＭＤ３を備えることもできる。第３のモードＭＤ３は、低電力「待機モード」に対応する。図３には、第１、第２、および第３の動作モードが、それぞれＭＤ１、ＭＤ２、およびＭＤ３で示されている。モードＭＤ１、ＭＤ２、およびＭＤ３は、長方形の相対的な面積によって、テレビ１０の相対的な消費電力を表している。第３のモードＭＤ３では、テレビ１０の消費電力は、３ワット未満（＜３Ｗ）であることが好ましい。対照的に、テレビ１０は、常夜灯モードＭＤ２では、特にバックライトユニット３０で、６ワット（６Ｗ）のオーダーの電力を消費する。しかし、第１のテレビモードＭＤ１では、テレビ１０は、ディスプレイ２０の面積と、それに対応するバックライトユニット３０と、一人以上の視聴者２５によって選択される輝度設定と、に依存して、４０ワット〜１００ワット（４０Ｗ〜１００Ｗ）のオーダーで電力を消費する。テレビ１０は、例えば、リモコン１２０のボタン又はスイッチを押すことによって、これらのモードＭＤ１、ＭＤ２、およびＭＤ３を素早く切り替えることができる。
【００４０】
必要に応じて、節電のため、制御ユニット１００のクロックレート（例えば、マイクロプロセッサのクロック周波数、又はマイクロプロセッサに組み込まれているマイクロコントローラのクロック周波数）は、第２および第３のモードＭＤ２、ＭＤ３では小さくなる。
【００４１】
必要に応じて、テレビ１０は、超音波モーションセンサを備え、超音波モーションセンサを使用して動きを検出すると、テレビ１０が第３の動作モードＭＤ３から第２の常夜灯動作モードＭＤ２に自動的に切り替わるようにすることができる。斯かる特徴によって、一人以上の視聴者２５が暗闇の中でリモコンを探す必要がなくなり、したがってユーザのフラストレーションを回避し得る。さらに、この特徴は、緊急の状況（例えば、火災の発生）で有利であり、ユーザは安全な出口への経路を見つけることができる。
【００４２】
上記の実施例は本発明を限定するものとして示されているのではなく、当業者は、添付された特許請求の範囲を逸脱することなく、他の多くの実施例を設計することができる。例えば、添付された特許請求の範囲から逸脱するしないで、ソフトウェア又はハードウェアの種々の部分に割り当てられる特徴を変えてもよい。動詞「有する」およびその活用形を使用していることは、請求項に記載されている以外の構成要素およびステップの存在を排除するものではない。構成要素が単数であることは、斯かる構成要素の複数の存在を排除するものではない。幾つかの手段が列挙されている装置の請求項において、これらの手段の一部は、同じ一つのハードウェアによって実現することができる。複数の手段が相互に異なる従属項に挙げられているという単なる事実は、これらの手段の組合せを有利に使用することができないことを示すものではない。
【図面の簡単な説明】
【００４３】
【図１】本発明によるディスプレイプロダクトの概略図である。
【図２】動作寿命を動作電力の関数で表したグラフである。
【図３】異なる３つのモードＭＤ１、ＭＤ２、およびＭＤ３で動作するときのディスプレイプロダクトの消費電力を示す図である。
【図１】
2007534022.tif 000003
【図２】
2007534022.tif 000004
【図３】
2007534022.tif 000005
【国際調査報告】
2007534022.tif 000006
2007534022.tif 000007
2007534022.tif 000008